(57)【要約】【課題】レンズが着脱自在なカメラにおいて、縦撮りした場合にも表示部に適切な方向で表示する。【解決手段】カメラ本体１４と、そのカメラ本体１４に着脱自在に装着されるレンズユニット１２とを備え、カメラ本体は、画像を表示する表示部の縦横方向を示すディスプレイ方向情報をメモリ２０６に記録する。レンズユニット１２は、ディスプレイ方向情報に基づいて、画像の縦横方向と前記表示部の縦横方向とが一致するように画像を回転移動させる回転角度を検出する。その回転角度を示す回転タグ情報を画像ファイルに付加し、カメラ本体１４に送信する。カメラ本体１４は、受信した画像ファイルに付加された回転タグ情報を参照し、その回転タグ情報が示す回転角度に従って画像を回転し、表示する。【選択図】図１
2007129316.tif 000002
【特許請求の範囲】
【請求項１】
カメラ本体と、そのカメラ本体着脱自在に装着されるレンズユニットと、からなり、通常の撮影時に縦方向に長い画像を撮影するカメラシステムであって、
前記カメラ本体は、
画像を表示する縦長の表示部と、
前記レンズユニットが縦方向に装着されたことを示す縦方向情報を前記レンズユニットに送出する方向情報送出部と、
前記レンズユニットから画像ファイルを受信する画像受信部と、
前記レンズユニットを装着するための本体側マウント接点部と、を備え、
前記レンズユニットは、
撮影レンズと、
該撮影レンズを介して被写体像が結像される撮像素子と、
前記撮像素子から出力される画像信号に基づいて画像ファイルを生成する画像処理部と、
前記カメラ本体から前記縦方向情報を取得する方向情報取得部と、
前記縦方向情報を前記画像ファイルに付加する付加部と、
前記縦方向情報が付加された画像ファイルを前記カメラ本体に送信する画像送信部と、
前記本体側マウント接点部と接続可能なレンズ側接点部と、
を備えることを特徴とするカメラシステム。
【請求項２】
前記方向情報送出部は、前記縦方向情報を記録したメモリ部と、該メモリ部から縦方向情報を読み出して前記レンズユニットに送信する本体側通信部と、により構成され、
前記方向情報取得部は、前記本体側通信部から前記縦方向情報を受信するレンズ側通信部により構成されることを特徴とする請求項１に記載のカメラシステム。
【請求項３】
カメラ本体と、そのカメラ本体に着脱自在に装着されるレンズユニットと、からなるカメラシステムであって、
前記カメラ本体は、
画像を表示する表示部と、
前記レンズユニットが縦方向に装着されたことを検出する方向検出部と、
前記レンズユニットから画像ファイルを受信する画像受信部と、
前記レンズユニットを装着するための本体側マウント接点部と、を備え
前記レンズユニットは、
撮影レンズと、
該撮影レンズを介して被写体像が結像される撮像素子と、
前記撮像素子から出力される画像信号に基づいて画像ファイルを生成する画像処理部と、
前記カメラ本体から前記方向検出部の検出結果を取得する検出結果取得部と、
前記検出結果に基づいて前記画像ファイルに縦方向に装着されたことを示す縦方向情報を付加する付加部と、
前記縦方向情報が付加された画像ファイルを前記カメラ本体に送信する画像送信部と、
前記本体側マウント接点部と接続可能なレンズ側接点部と、
を備えることを特徴とするカメラシステム。
【請求項４】
前記方向検出部は、前記レンズユニットが縦方向に装着された場合と横方向に装着された場合とで異なる電圧を印加する本体側マウント接点部により構成され、
前記検出結果取得部は、前記本体側マウント接点部に接続するためのレンズ側マウント接点部により構成される、
ことを特徴とする請求項３に記載のカメラシステム。
【請求項５】
前記レンズユニットは、前記縦方向情報に基づいて前記画像ファイルに含まれる画像を回転移動する回転処理部を更に備え、
前記画像送信部は、前記回転移動後の画像を前記カメラ本体に送信する、
ことを特徴とする請求項１乃至４のいずれかに記載のカメラシステム。
【請求項６】
前記表示部及び前記撮像素子は、矩形状に構成され、
前記表示部及び前記撮像素子の縦横比は同一に構成される、
ことを特徴とする請求項１乃至５のいずれかに記載のカメラシステム。
【請求項７】
請求項１又は２に記載のカメラシステムを構成することを特徴とするレンズユニット。
【請求項８】
請求項４記載のカメラシステムを構成することを特徴とするカメラ本体。
【発明の詳細な説明】
【技術分野】
【０００１】
本発明はカメラシステム、カメラ本体、及びレンズユニットに係り、特に交換可能なレンズユニットを用いて縦位置で撮影した画像を視認性よく表示させるカメラシステム及びレンズユニットに関する。
【背景技術】
【０００２】
特許文献１には、撮影時における姿勢（縦位置または横位置）に関係なく、画像表示装置のモニタ画面に撮影画像の天地方向を正しくして画像再生を行うとともに、プリンタ装置のような画像出力装置に出力したときに実効画素数が減少することがない画像入力再生装置が開示されている。
【特許文献１】特開２０００−１８８７１５号公報
【発明の開示】
【発明が解決しようとする課題】
【０００３】
横長の矩形状の撮像素子を搭載したレンズユニットを縦長のディスプレイを備えたカメラ本体に装着した場合、レンズユニットの取付角度によっては、表示部に表示される画像の縦横方向と、ディスプレイの縦横方向と一致しないことがある。この場合、縦長ディスプレイの縦横方向と画像の縦横方向とを一致させるために、画像の左右端を切り取って縦長の画像を生成する方法がある。または、表示部の上下方向の一部領域をマスキング処理して縦長の表示画面に横長の画像を表示する方法がある。前者の場合には、画像の一部を切り取るため、画像全体を表示させることができないという問題が生じ、後者の場合には、画像全体を表示できるものの、表示画面全体を使用することができないという問題が生じる。
【０００４】
本発明は、上記問題に鑑みてなされたものであり、レンズ交換式のカメラシステムにおいて、表示画面全体を用いて画像全体を表示することができるカメラシステムおよびそのカメラシステムに用いるレンズユニットを提供することを目的とする。
【課題を解決するための手段】
【０００５】
上記問題を解決するために請求項１に記載のカメラシステムは、カメラ本体と、そのカメラ本体着脱自在に装着されるレンズユニットと、からなり、通常の撮影時に縦方向に長い画像を撮影するカメラシステムであって、前記カメラ本体は、画像を表示する縦長の表示部と、前記レンズユニットが縦方向に装着されたことを示す縦方向情報を前記レンズユニットに送出する方向情報送出部と、前記レンズユニットから画像ファイルを受信する画像受信部と、前記レンズユニットを装着するための本体側マウント接点部と、を備え、前記レンズユニットは、撮影レンズと、該撮影レンズを介して被写体像が結像される撮像素子と、前記撮像素子から出力される画像信号に基づいて画像ファイルを生成する画像処理部と、前記カメラ本体から前記縦方向情報を取得する方向情報取得部と、前記縦方向情報を前記画像ファイルに付加する付加部と、前記縦方向情報が付加された画像ファイルを前記カメラ本体に送信する画像送信部と、前記本体側マウント接点部と接続可能なレンズ側接点部と、を備えることを特徴とする。
【０００６】
これによりレンズユニットはカメラ本体から縦方向情報を取得し、画像ファイルに付加することができる。また、カメラ本体に縦長ディスプレイが備えられているときにも、この縦方向情報に基づいて縦長ディスプレイの表示画面に縦長の画像を再生表示することができ、表示画面を有効に利用することができる。
【０００７】
また、請求項２記載の発明は、請求項１に記載のカメラシステムにおいて、前記方向情報送出部は、前記縦方向情報を記録したメモリ部と、該メモリ部から縦方向情報を読み出して前記レンズユニットに送信する本体側通信部と、により構成され、前記方向情報取得部は、前記本体側通信部から前記縦方向情報を受信するレンズ側通信部により構成されることを特徴とする。
【０００８】
これにより、カメラ本体には装着したレンズユニットに送信するための縦方向情報を記録しておくことができる。
【０００９】
また、請求項３のカメラシステムは、カメラ本体と、そのカメラ本体に着脱自在に装着されるレンズユニットと、からなるカメラシステムであって、前記カメラ本体は、画像を表示する表示部と、前記レンズユニットが縦方向に装着されたことを検出する方向検出部と、前記レンズユニットから画像ファイルを受信する画像受信部と、前記レンズユニットを装着するための本体側マウント接点部と、を備え、前記レンズユニットは、撮影レンズと、該撮影レンズを介して被写体像が結像される撮像素子と、前記撮像素子から出力される画像信号に基づいて画像ファイルを生成する画像処理部と、前記カメラ本体から前記方向検出部の検出結果を取得する検出結果取得部と、前記検出結果に基づいて前記画像ファイルに縦方向に装着されたことを示す縦方向情報を付加する付加部と、前記縦方向情報が付加された画像ファイルを前記カメラ本体に送信する画像送信部と、前記本体側マウント接点部と接続可能なレンズ側接点部と、を備えることを特徴とする。
【００１０】
これにより、カメラ本体に縦方向または横方向のどちらにもレンズユニットを装着することができる。そして、縦方向に装着された場合には、縦方向に装着されたことを検出し、レンズユニットに対して縦方向情報を送出することができる。そして、カメラ本体に縦長ディスプレイが備えられているときにも、この縦方向情報に基づいて縦長ディスプレイの表示画面に縦長の画像を再生表示することができ、表示画面を有効に利用することができる。
【００１１】
また、請求項４の発明は、請求項３に記載のカメラシステムにおいて、前記方向検出部は、前記レンズユニットが縦方向に装着された場合と横方向に装着された場合とで異なる電圧を印加する本体側マウント接点部により構成され、前記検出結果取得部は、前記本体側マウント接点部に接続するためのレンズ側マウント接点部により構成されることを特徴とする。
【００１２】
これにより、レンズユニットをカメラ本体に装着するだけ、レンズユニットの装着方向を検出することができる。
【００１３】
また、請求項５記載の発明は、請求項１乃至４のいずれか記載のカメラシステムにおいて、前記レンズユニットは、前記縦方向情報に基づいて前記画像ファイルに含まれる画像を回転移動する回転処理部を更に備え、前記画像送信部は、前記回転移動後の画像を前記カメラ本体に送信することを特徴とする。
【００１４】
これにより、カメラ本体に縦長ディスプレイが備えられている場合に、回転処理後の画像がカメラ本体に送られるため、縦長ディスプレイに縦長の画像を表示させることができ、表示画面を無駄なく使用することができる。
【００１５】
また、請求項６に記載の発明は、請求項１乃至５のいずれか記載のカメラシステムであって、前記表示部及び前記撮像素子は、矩形状に構成され、前記表示部及び前記撮像素子の縦横比は同一に構成される、ことを特徴とする。
【００１６】
これにより、ディスプレイ全面を無駄なく使用することができる。
【００１７】
また、請求項７に記載のレンズユニットは、請求項１又は２に記載のカメラシステムを構成することを特徴とする。
【００１８】
また、請求項８に記載のカメラ本体は、請求項４記載のカメラシステムを構成することを特徴とする。  
【発明の効果】
【００１９】
本発明によれば、レンズ交換式のカメラシステムにおいて、表示画面全体を用いて画像全体を表示することができるカメラシステムおよびそのカメラシステムに用いるレンズユニットを提供することができる。
【発明を実施するための最良の形態】
【００２０】
以下、添付した図面を参照し本発明の好ましい実施の形態を説明する。
【００２１】
＜ハードウェア構成＞
以下、添付図面に従って本発明に係る撮像装置を実施するための最良の形態について説明する。
【００２２】
図１、図２、は、それぞれ本発明が適用されたデジタルカメラの外観構成を示す正面斜視図と背面斜視図であって、縦長ディスプレイを備えたカメラ本体１４にレンズユニット１２を装着する状態を示す図である。
【００２３】
同図に示すように、このデジタルカメラ１０は、レンズユニット１２とカメラ本体１４とで構成されている。
【００２４】
レンズユニット１２は、円筒状に形成されており、その基端部にレンズマウント１２Ａを備えている。一方、カメラ本体１４は、箱状に形成されており、その正面ほぼ中央に本体マウント１４Ａを備えている。レンズユニット１２は、レンズマウント１２Ａをカメラ本体１４の本体マウント１４Ａに装着することにより、カメラ本体１４に着脱自在に取り付けられる。
【００２５】
なお、レンズマウント１２Ａと本体マウント１４Ａには、それぞれレンズマウント接点１２ａと本体マウント接点１４ａとが設けられており（本体マウント接点１４ａのみ図示）、レンズマウント１２Ａを本体マウント１４Ａに装着すると、互いの接点が接触して導通する。
【００２６】
また、本体マウント１４Ａには、図示しないレンズ検出端子が設けられており、このレンズ検出端子により、レンズマウント１２Ａが本体マウント１４Ａに装着されたことが検出できるようにされている。
【００２７】
レンズユニット１２は、手ブレ補正機能を備えたズームレンズで構成されており、後述するように、撮像素子を内蔵している。
【００２８】
カメラ本体１４の正面には、ストロボ１８等が設けられており、上面には、レリーズボタン２０、電源スイッチ２２、モードダイヤル２４等が設けられている。また、カメラ本体１４の背面には、モニタ２６、ズームボタン２８、十字ボタン３０、ＭＥＮＵ／ＯＫボタン３２、キャンセルボタン３４等が設けられている。また、図示しないカメラ本体１４の底面には、バッテリカバーが設けられており、このバッテリカバーを開くと、バッテリを装着するためのバッテリ収納室と、メモリカードを装着するためのメモリカードスロットが設けられている。
【００２９】
レリーズボタン２０は、撮影指示を入力するボタンとして機能し、いわゆる「半押し」と「全押し」の二段式で構成されている。デジタルカメラ１０は、このレリーズボタン２０の半押しでＡＥ（Automatic Exposure：自動露出）、ＡＦ（Auto Focus：自動焦点合わせ）が機能し、全押しで撮影が実行される。
【００３０】
電源スイッチ２２は、スライド式のスイッチで構成されており、この電源スイッチ２２のスライド操作でデジタルカメラ１０の電源がＯＮ／ＯＦＦされる。
【００３１】
モードダイヤル２４は、回転式のダイヤルで構成されており、デジタルカメラ１０のモードを切り換える手段として機能する。デジタルカメラ１０は、このモードダイヤル２４を回転操作することにより、「撮影モード」と「再生モード」に切り換えられる。
【００３２】
モニタ２６は、カラーＬＣＤで構成されている。このモニタ２６は、再生モード時に撮影済み画像の再生に使用されるとともに、撮影モード時にスルー画像が表示されて電子ファインダとして使用される。また、各種設定操作時にメニュー画面が表示されてユーザインターフェイスとしても使用される。
【００３３】
ズームボタン２８は、撮影時にズームを指示するボタンとして機能し、テレ方向のズームを指示するズームテレボタン２８Ｔと、ワイド方向のズームを指示するズームワイドボタン２８Ｗとで構成されている。なお、再生時には、画像の拡大／縮小を指示するボタンとして機能し、ズームテレボタン２８Ｔで画像が拡大され、ズームワイドボタン２８Ｗで画像が縮小される。
【００３４】
十字ボタン３０は、上下左右四方向に押下可能に構成されており、デジタルカメラ１０の状況に応じた機能が割り当てられる。たとえば、撮影モード時には、右ボタンがマクロモードの切り換えを指示するマクロボタンとして機能し、左ボタンがストロボモードの切り換えを指示するストロボボタンとして機能する。また、再生モード時には、右ボタンが画像のコマ送りを指示するボタンとして機能し、左ボタンが画像のコマ戻しを指示するコマ戻しボタンとして機能する。また、モニタ２６を利用した各種設定時には、モニタ２６に表示されるカーソルの移動を指示するボタンとして機能する。
【００３５】
ＭＥＮＵ／ＯＫボタン３２は、モニタ２６へのメニュー画面の表示を指示するボタンとして機能するとともに、各種操作の実行を指示するボタンとして機能し、キャンセルボタン３４は、各種操作のキャンセルを指示するボタンとして機能する。
【００３６】
図３は、デジタルカメラ１０の電気的構成を示すブロック図である。同図に示すように、レンズユニット１２は、撮影光学系１００、撮影光学系駆動部１０２、撮影光学系制御部１０４、手ブレ検出用角加速度センサ１０６、撮像素子（ＣＣＤ）１０８、アナログ信号処理部１１０、Ａ／Ｄ変換器１１２、信号処理回路１１３、積算回路１１４、タイミングジェネレータ（ＴＧ）１１６、レンズＣＰＵ１１８、ＲＯＭ、ＲＡＭからなるレンズシステムメモリ１２０、レンズ不揮発性メモリ１２２、レンズ通信部としてＵＡＲＴ（低速シリアルドライバ）１４０および高速シリアルドライバ１４２、電源制御部１２６、ＤＣ／ＤＣ変換器１２８、レンズマウント接点１２ａ等で構成されている。
【００３７】
一方、カメラ本体１４は、本体ＣＰＵ２００、操作部（モードダイヤル２４、ズームボタン２８、十字ボタン３０、ＭＥＮＵ／ＯＫボタン３２、キャンセルボタン３４等）２０２、ワームメモリであるＲＡＭ２０４、本体フラッシュＲＯＭ２０６、本体システムメモリであるＲＯＭ２０７、タイマ２０８、圧縮伸張処理部２０９、カレンダ時計２１０、本体通信部としてＵＡＲＴ（低速シリアルドライバ）２４０および高速シリアルドライバ２４２、カードインターフェイス（Ｉ／Ｆ）２１６、メモリカードスロット２１８、メモリカード２２０、ＲＡＭ（データメモリ）２２２、ＯＳＤ部２２４、ＬＣＤ制御部２２６、モニタ２６、タッチセンサ２３２、ストロボ制御部２３４、ストロボ１８、電源制御部２３６、バッテリ２３８、ＤＣ／ＤＣ変換器２３９、本体マウント接点１４ａ等で構成されている。
【００３８】
デジタルカメラ全体の動作は、本体ＣＰＵ２００によって統括制御されており、本体ＣＰＵ２００は、操作部２０２からの入力に基づき所定の制御プログラムに従ってデジタルカメラ１０の各部を制御する。本体システムメモリであるＲＯＭ２０７には、この本体ＣＰＵ２００が、実行する制御プログラム、制御に必要な各種データが記録されている。本体ＣＰＵ２００は、このＲＯＭ２０７に格納された制御プログラムに従い、ＲＡＭ２０４を作業領域としながらデジタルカメラの各部を制御する。
【００３９】
フラッシュＲＯＭ２０６には、ＬＣＤ２６の表示画面が縦長形状かまたは横長形状かを示すディスプレイ方向状態情報が格納される。
【００４０】
なお、レンズＣＰＵ１１８は、本体ＣＰＵ２００からの指令に従いレンズユニット１２の動作を統括制御する。レンズシステムメモリ１２０のＲＯＭには、このレンズＣＰＵ１１８が、実行する制御プログラム、制御に必要な各種データが記録されている。レンズＣＰＵ１１８は、このレンズシステムメモリ１２０のＲＯＭに格納された制御プログラムに従い、レンズシステムメモリ１２０のＲＡＭを作業領域としながらレンズユニット１２の各部を制御する。
【００４１】
撮影光学系１００は、手ブレ補正機能を備えたズームレンズで構成されており、フォーカスレンズ、ズームレンズ、手ブレ補正レンズ、メカシャッタ、絞り等を備えている。撮影光学系駆動部１０２は、この撮影光学系１００のフォーカスレンズ、ズームレンズ、手ブレ補正レンズ、メカシャッタ、絞り等の駆動部を構成し、撮影光学系制御部１０４は、レンズＣＰＵ１１８を介して入力される指令に応じて撮影光学系駆動部１０２の駆動を制御する。
【００４２】
手ブレ検出用角加速度センサ１０６は、手ブレ補正を行うために、デジタルカメラ１０に生じている動きを検出し、レンズＣＰＵ１１８に出力する。レンズＣＰＵ１１８は、この手ブレ検出用角加速度センサ１０６の出力に基づいて手ブレ補正レンズの動作量を演算し、手ブレを相殺するように手ブレ補正レンズを動作させる。
【００４３】
撮像素子（ＣＣＤ）１０８は、たとえば原色カラーＣＣＤで構成されており、撮影光学系１００によって、その受光面に結像された被写体の光学像を電気信号に変換する。
【００４４】
アナログ信号処理部１１０は、サンプリングホールド回路、色分離回路、ゲイン調整回路等を含み、ＣＣＤ１０８から出力された画像信号に対して相関二重サンプリング（ＣＤＳ）処理、色分離処理、プリホワイトバランス処理等の所要のアナログ信号処理を施す。
【００４５】
Ａ／Ｄ変換器１１２は、アナログ信号処理部１１０から出力されたアナログの画像信号をデジタルの画像信号に変換して出力する。
【００４６】
デジタル信号処理部２１３は、輝度・色差信号生成回路、ガンマ補正回路、シャープネス補正回路、コントラスト補正回路、ホワイトバランス補正回路、圧縮・伸張処理回路等を含むデジタルシグナルプロセッサ（ＤＳＰ）で構成され、入力された画像信号に所要の信号処理を施して、輝度信号（Ｙ信号）と色差信号（Ｃr,Ｃb 信号）とからなるＹＵＶ信号を生成する。また、ＹＵＶ信号に圧縮処理を施して、圧縮画像データを生成するとともに、圧縮画像データに伸張処理を施してＹＵＶ信号を生成する。
【００４７】
積算回路１１４は、Ａ／Ｄ変換後の画像信号を得て、ＡＥ／ＡＦ制御に必要な物理量を算出する。すなわち、ＡＥ制御に必要な物理量として、１フレームにおけるＲ、Ｇ、Ｂの画像信号の積算値を算出する。レンズＣＰＵ１１８は、この積算回路１１４から得た積算値に基づいて被写体の明るさ（被写体輝度）を算出し、所定のプログラム線図から絞り値とシャッタスピードを決定する。また、ＡＦ制御に必要な物理量として、所定のＡＦエリア内におけるＧ信号の高周波成分の積算値（焦点評価値）を算出する。レンズＣＰＵ１１８は、この焦点評価値が極大となる位置にフォーカスレンズを移動させる（いわゆるコントラストＡＦ）。
【００４８】
タイミングジェネレータ（ＴＧ）１１６は、ＣＣＤ１０８、アナログ信号処理部１１０、Ａ／Ｄ変換器１１２、デジタル信号処理部１１３、積算回路１１４にタイミング信号を与え、各部は、このＴＧから与えられるタイミング信号によって同期がとられている。
【００４９】
ＵＡＲＴ１４０は、レンズＣＰＵ１１８の制御の下、レンズマウント接点１２ａ及び本体マウント接点１４ａを介して接続されたカメラ本体側のＵＡＲＴ２４０との間で制御信号（コマンド信号）の送受信を行う。一方、本体側のＵＡＲＴ２４０は、本体ＣＰＵ２００の制御の下、レンズマウント接点１２ａ及び本体マウント接点１４ａを介して接続されたレンズユニット側のＵＡＲＴ１４０との間で制御信号（コマンド信号）の送受信を行う。
【００５０】
高速シリアルドライバ１４２は、レンズＣＰＵ１１８の制御の下、レンズマウント接点１２ａ及び本体マウント接点１４ａを介して接続されたカメラ本体側の高速シリアルドライバ２４２との間で画像ファイルの送信を行う。一方、本体側の高速シリアルドライバ２４２は、本体ＣＰＵ２００の制御の下、レンズマウント接点１２ａ及び本体マウント接点１４ａを介して接続されたレンズユニット側の高速シリアルドライバ２４２との間で画像ファイルの受信を行う。
【００５１】
電源制御部１２６は、レンズＣＰＵ１１８の制御の下、ＤＣ／ＤＣ変換器１２８を制御し、レンズマウント接点１２ａ及び本体マウント接点１４ａを介してカメラ本体側のＤＣ／ＤＣ変換器２３９から供給される電力をレンズユニット１２の各部に供給する。
【００５２】
モニタ２６にスルー画像を表示させる場合は、デジタル信号処理部１１３で連続的に生成されたＹＵＶ信号が、高速シリアルドライバ１４２および２４２を介して順次ＲＡＭ２２２に加えられる。ＬＣＤ制御部２２６は、このＲＡＭ２２２に加えられたＹＵＶ信号を表示用の信号形式に変換して順次モニタ２６に出力する。これにより、モニタ２６にスルー画像が表示され、モニタ２６をファインダとして使用しながらの撮影が可能になる。
【００５３】
ＯＳＤ部２２４は、キャクタジェネレータを含み、本体ＣＰＵ２００の制御の下、モニタ２６に表示するための文字、記号等をＬＣＤ制御部２２６に出力する。ＬＣＤ制御部２２６は、このＯＳＤ部２２４から出力された文字等を画像に重ねてモニタ２６に出力する。
【００５４】
画像を記録する場合は、デジタル信号処理部１１３において、ＹＵＶ信号が所定の圧縮フォーマット（たとえば、ＪＰＥＧ）で圧縮される。圧縮された画像データは、撮影日時や撮影条件（絞り値、シャッタースピード、感度等）等の所要の付属情報が付加された画像ファイルとされた後、カードＩ／Ｆ２１６を介してメモリカードスロット２１８に装着されたメモリカード２２０に格納される。この際、画像ファイルは、所定の規則に従ってメモリカード２２０の記憶領域に格納される。
【００５５】
なお、タイマ２０８は、本体ＣＰＵ２００からの指令に基づいて時間を計測し、カレンダ時計２１０は、本体ＣＰＵ２００からの指令に基づいて現在の年月日及び時刻を計測する。
【００５６】
ストロボ制御部２３４は、本体ＣＰＵ２００の制御の下、ストロボ１８の発光を制御する。
【００５７】
電源制御部２３６は、本体ＣＰＵ２００の制御の下、ＤＣ／ＤＣ変換器２３９を制御し、バッテリ２３８から供給される電力をカメラ本体１４の各部及びレンズユニット１２に供給する。
【００５８】
上記では、縦長ディスプレイを備えたカメラ本体１４にレンズユニット１２を装着する状態を示したが、図４に示すように、レンズユニット１２を横長ディスプレイを備えたカメラ本体１４に装着してもよい。図４のデジタルカメラは、図１及び２のデジタルカメラとディスプレイの形状が異なる他は同一の構成である。
【００５９】
次に、本実施の形態のデジタルカメラ１０の動作について説明する。まず、基本的な撮影時の動作について説明する。
【００６０】
レンズユニット１２をカメラ本体１４に装着し、電源スイッチ２２でデジタルカメラ１０の電源をＯＮする。このとき、カメラのモードが撮影モードに設定されてない場合は、モードダイヤル２４で撮影モードに設定する。
【００６１】
この状態で被写体に撮影レンズを向け、レリーズボタン２０を半押しすると、操作部２０２から本体ＣＰＵ２００にＳ１ＯＮ信号が出力され、ＡＥ／ＡＦ処理が実行される。すなわち、主要被写体にピントが合わせられるとともに露出が決定される。
【００６２】
この後、レリーズボタン２０が全押しされると、操作部２０２から本体ＣＰＵ２００にＳ２ＯＮ信号が出力され、撮影処理が実行される。すなわち、決定された露出でＣＣＤ１０８が露光され、露光により得られた画像信号が、アナログ信号処理部１１０、Ａ／Ｄ変換器１１２を介してデジタル信号処理部１１３に送られる。デジタル信号処理部１１３では、所要の信号処理が施されてＹＵＶ信号に変換される。生成されたＹＵＶ信号は、更にデジタル信号処理部１１３で圧縮処理が施されて圧縮画像データとされた後、所要の付属情報が付加された画像ファイルとして高速シリアルドライバ１４２および２４２を介してメモリカード２２０に記録される。
【００６３】
このようにしてメモリカード２２０に記録された画像ファイルは、モードダイヤル２４にてカメラのモードを再生モードに設定することにより、メモリカード２２０から読み出され、モニタ２６に再生表示される。
【００６４】
すなわち、モードダイヤル２４を再生モードに設定すると、最後に記録された画像ファイルの圧縮画像データがメモリカード２２０から読み出され、圧縮伸張処理部２０９に加えられる。圧縮伸張処理部２０９は、入力された圧縮画像データに所要の伸張処理を施して非圧縮のＹＵＶデータを生成する。生成されたＹＵＶデータは、ＲＡＭ２２２に加えられ、ＬＣＤ制御部２２６で表示用の信号形式に変換されて、モニタ２６に出力される。これにより、撮影済み画像がモニタ２６に再生表示される。
【００６５】
なお、コマ送りの操作を行うと、次の画像がメモリカード２２０から読み出され、コマ戻しの操作を行うと、一つ前の画像がメモリカード２２０から読み出されて、モニタ２６に再生表示される。
【００６６】
上記のように、本実施の形態のデジタルカメラ１０では、撮影により得られた画像ファイルをメモリカード２２０に記録する際、所定の規則に従ってメモリカード２２０の記憶領域に格納される。
【００６７】
また、上記では、デジタル信号処理部１１３が圧縮したＪＰＥＧ形式の画像ファイルを作成したが、圧縮していないＲＡＷ形式のファイルを作成してもよい。
【００６８】
次に、上記ＣＣＤ１０８を横長の矩形状に構成し、画像信号の読み出しを横方向に行うレンズユニット１２を、横長のＬＣＤ２６と縦長のＬＣＤ２６とにそれぞれ装着した場合の撮影画像と表示画像の縦横関係について説明する。レンズユニット１２を縦長のＬＣＤ２６に装着するときには、ＣＣＤ１０８の実効画素数を最大限に生かし、トリミングなしの画像を生成するためにＣＣＤ１０８も縦方向に配置して撮影を行うことが望ましい。この場合の生成された画像と表示画像との関係を図５に示す。図５のａ列は、横長ディスプレイを持つカメラ本体に接続した場合を示す。また、ｂ列は、縦長ディスプレイを持つカメラ本体に接続した場合を示す。なお、図５の矢印５ｃは、ＣＣＤ１０８で撮影された画像信号に基づき生成される画像の天地方向を示す。
【００６９】
（ａ−１）では、ＣＣＤ１０８を横長に配置して撮影をする。この場合、画像信号は、（ａ−１）において左上から右下方向に向けて横方向に読み出される。この読み出された画像信号に基づいて生成される画像を（ａ−２）に示す。レンズユニット１２が生成しカメラ本体１４に送信する画像は横長であるため、（ａ−１）と（ａ−２）とでは、天地方向５ｃが一致する。（ａ−３）は、横長ＬＣＤ２６に表示される画像を示す。（ａ−２）の画像を横長ＬＣＤ２６に表示すると、ＬＣＤの縦横方向と（ａ−２）の画像の縦横方向とが一致する。
【００７０】
次に、縦長ディスプレイを持つカメラ本体１４に横長のＣＣＤ１０８を内蔵したレンズユニット１２を装着した場合について説明する。
【００７１】
（ｂ−１）では、ＣＣＤ１０８を縦長に配置して撮影をする。この場合、画像信号は、（ｂ−１）において左下から右上方向に向けて縦方向に読み出される。この読み出された画像信号に基づいて生成される画像を（ｂ−２）に示す。レンズユニット１２が生成しカメラ本体１４に送信する画像は横長であるため、（ｂ−１）と（ｂ−２）とでは、天地方向５ｃが一致せず、９０°反転した状態になる。従って、（ｂ−２）の画像の縦横方向を縦長ＬＣＤ２６の縦横方向に一致させて表示するためには、（ｂ−２）の画像を+９０°回転移動すると、（ｂ―３）のように、画像の縦横方向と縦長ＬＣＤ２６の縦横方向とを一致させて表示することができる。なお、ＣＣＤ１０８とＬＣＤ２６の縦横比を同一に構成すると、ＬＣＤ２６の全面を無駄なく使用することができる。
【００７２】
以下、画像の縦横方向と縦長ＬＣＤ２６の縦横方向とを一致させて表示するための処理を説明する。
【００７３】
＜第一実施形態＞
第一実施形態は、カメラ本体１４からＬＣＤ２６の縦横方向を示すディスプレイ方向情報をレンズユニット１２が取得し、撮影した画像をＬＣＤ２６の縦横方向と天地方向と一致させて表示させるために回転移動する角度を示す方向情報を検出し、その方向情報を画像ファイルに付加する実施形態である。本実施形態に係るカメラシステムは、縦長ディスプレイを有するカメラ本体に、通常の状態においてＣＣＤが縦長に位置するようにレンズユニットが装着される。そのため、ディスプレイ方向情報は、ＣＣＤが縦位置になることを意味する。
【００７４】
以下図６、７に基づいて第一実施形態に係るカメラシステムの処理の流れを説明する。図６は、レンズユニットの処理の流れを示すフローチャートである。図７は、カメラ本体の処理の流れを示すフローチャートである。
【００７５】
図６の処理は、カメラ本体１４のレリーズボタン２０が全押しされた旨が、マウント接点１４ａ、１２ａを介してレンズユニット１２のレンズＣＰＵ１１８に送信されてから開始する。
【００７６】
Ｓ１では、レンズユニット１２において、ＣＣＤ１０８により出力された画像信号が読み込まれ（Ｓ１）、アナログ信号処理部１１０、Ａ／Ｄ変換部１１２、デジタル信号処理部１１３において画像処理が行われる。
【００７７】
Ｓ２では、カメラ本体１４のディスプレイ方向情報を受信し、レンズユニット１２の装着方向を判定する（Ｓ２）。カメラ本体１４の本体ＣＰＵ２００は、フラッシュＲＯＭ２０６に記録されたディスプレイ方向情報を読みだし、ＵＡＲＴ２４０を経由してマウント接点１４ａから出力する。レンズユニット１２のレンズＣＰＵ１１８は、マウント接点１２ａ及びＵＡＲＴ１４０を介してディスプレイ方向情報を受信する。レンズＣＰＵ１１８は、ディスプレイ方向情報に基づいて、カメラ本体１４に対してレンズユニット１２のＣＣＤ１０８の縦横方向がどの向き（例えば+90°、0°、-90°）に位置しているかを判定する。
【００７８】
Ｓ３では、デジタル信号処理部１１３で生成された画像が、非圧縮形式（ＲＡＷ）形式か否かを判定する（Ｓ３）。「Ｙ」であればＳ４へ進み、「Ｎ」であればＳ５へ進む。
【００７９】
Ｓ４では、縦横情報タグを付加したＲＡＷ形式ファイルを作成する（Ｓ４）。レンズＣＰＵ１１８は、Ｓ２の判定の結果、カメラ本体１４に対してレンズユニット１２が+90°または-90°に装着されていると判定した場合には、-90°または+90°回転移動させることを示す縦横情報を生成する。そして、デジタル信号処理部１１３が作成した非圧縮形式の画像に縦横情報タグを付加してＲＡＷ形式ファイルを作成する。Ｓ２の判定の結果、カメラ本体１４に対してレンズユニット１２が0°の場合は、回転しない旨を示す縦横情報を生成して付加するか、何ら縦横情報を付加しない。
【００８０】
Ｓ５では、デジタル信号処理部１１３がＹｃｂＣｒ画像を生成する（Ｓ５）。
【００８１】
Ｓ６では、デジタル信号処理部１１３がＳ５で生成したＹｃｂＣｒ画像をＪＰＥＧ形式に圧縮処理し、その圧縮画像に縦横情報タグを付加してＪＰＥＧ画像を作成する（Ｓ６）。縦横情報タグの付加処理は、Ｓ４と同様である。
【００８２】
Ｓ７では、Ｓ４で生成したＲＡＷ形式ファイルまたはＳ６で生成したＪＰＥＧ形式ファイルを、高速シリアルドライバ１４２を用いてマウント接点１２ａからカメラ本体１４に転送する（Ｓ７）。
【００８３】
次に図７に基づいてカメラ本体の処理の流れを説明する。
【００８４】
Ｓ８では、レンズユニット１２が生成した画像をマウント接点１４ａを介して高速シリアルドライバ２４２経由で受信する（Ｓ８）。受信した画像は、ＲＡＭ（データメモリ）２２２に記録される。
【００８５】
Ｓ９では、受信した画像が縦撮り画像か否かを判断する（Ｓ９）。本体ＣＰＵ２００は、ＲＡＷ形式ファイルまたはＪＰＥＧ形式ファイルに付加された縦横情報タグを読取り、縦取り画像か否かを判断する。「ＹＥＳ」であればＳ１０へ進み、「ＮＯ」であればＳ１１ヘ進む。
【００８６】
Ｓ１０では、画像の回転タグ情報に従い、画像を回転移動する（Ｓ１０）。受信した画像がＪＰＥＧ画像の場合には、まず圧縮伸張処理部２０９がＪＰＥＧファイルを解凍する。そして、本体ＣＰＵ２００は、解凍された画像またはＲＡＷ形式で受信した画像に付加された回転タグ情報に示された回転角度に従って画像を回転移動する。
【００８７】
Ｓ１１では、回転移動後の画像がＬＣＤ制御部２２６によりＬＣＤ２６に表示される（Ｓ１１）。
【００８８】
本実施の形態によれば、縦長ディスプレイにレンズユニット１２を装着した
のときには、ＣＣＤがこれにより、縦型のＬＣＤ２６の縦横方向と画像の縦横方向とを、画像をカットすることなく表示することができ、ＬＣＤ画像の表示面を有効利用することができる。
【００８９】
＜第二実施形態＞
第二実施形態は、カメラ本体１４からＬＣＤ２６の縦横を示す方向情報をレンズユニット１２が取得し、撮影した情報をその方向情報に基づいて回転移動し、回転移動後の画像をレンズユニット１２に送出する実施形態である。図８は、本実施形態の処理の流れを示すフローチャートである。
【００９０】
Ｓ２１では、Ｓ１と同様、レンズユニット１２において、ＣＣＤ１０８により出力された画像信号が読み込まれ（Ｓ２１）、アナログ信号処理部１１０、Ａ／Ｄ変換部１１２、デジタル信号処理部１１３において画像処理が行われる。
【００９１】
Ｓ２２では、Ｓ２と同様、カメラ本体１４のディスプレイ方向情報を受信し、レンズユニット１２の装着方向を判定する（Ｓ２２）。
【００９２】
Ｓ２３では、縦撮りか否かを判断する（Ｓ２３）。レンズＣＰＵ１１８は、Ｓ２２の判定結果に基づき、縦撮り（ＣＣＤ１０８が縦方向に装着されている）か否かを判断する。「ＹＥＳ」であればＳ２４へ進み、「ＮＯ」であればＳ２５ヘ進む。
【００９３】
Ｓ２４では、Ｓ２２の判定結果に基づき、画像を回転移動する（Ｓ２４）。縦撮りの場合には、レンズＣＰＵ１１８は生成した画像を+９０°または−９０°回転移動する。
【００９４】
Ｓ２５では、画像形式が非圧縮形式（ＲＡＷ）形式ファイルか否かを判定する（Ｓ２５）。「Ｙ」であればＳ２６へ進み、「Ｎ」であればＳ２７へ進む。
【００９５】
Ｓ２６では、デジタル信号処理部１１３が回転移動後の画像に基づいてＲＡＷ形式ファイルを作成する。
【００９６】
Ｓ２７では、デジタル信号処理部１１３が回転移動後の画像に基づいてＹｃｂＣｒ画像を生成する（Ｓ２７）。
【００９７】
Ｓ２８では、デジタル信号処理部１１３がＳ２７で生成したＹｃｂＣｒ画像をＪＰＥＧ形式に圧縮処理しＪＰＥＧ画像を作成する（Ｓ２８）。
【００９８】
Ｓ２９では、Ｓ７と同様、Ｓ２６で作成したＲＡＷ形式ファイルまたはＳ２８で生成したＪＰＥＧ形式ファイルを、高速シリアルドライバ１４２を用いてマウント接点１２ａからカメラ本体１４に転送する（Ｓ２９）。
【００９９】
Ｓ３０では、カメラ本体１４がＳ８と同様、画像を高速シリアル線経由で受信し、ＬＣＤ２６に画像を表示する（Ｓ３０）。
【０１００】
本実施形態によれば、カメラ本体１４からディスプレイ方向情報を受信し、これに基づいて撮影画像をレンズユニット１２で回転移動する。そして、回転移動後の画像をレンズユニット１２からカメラ本体１４に対して送信するため、ＣＣＤ１０８を縦に配置して撮影した画像も、縦長ディスプレイ上に縦横方向と天地方向を一致させて表示することができる。
【０１０１】
＜第三実施形態＞
第三実施形態は、カメラ本体１４のマウント接点１４ａに縦横を示す専用の電気接点を備え、レンズユニット１２がその電気接点からの情報に基づいて縦横情報を取得する実施形態である。
【０１０２】
図９は、カメラ本体１４のマウント接点１４ａの拡大図である。マウント接点１４ａは、４ブロックの接点Ｖ１、Ｈ１、Ｖ２、Ｈ２を備える。接点Ｖ１、Ｖ２は、図１０（ａ）に示すようにレンズユニット１２に内蔵された矩形状のＣＣＤ１０８が縦型に配置されるようにレンズユニット１２を装着したときに使用する。接点Ｈ１、Ｈ２は、ＣＣＤ１０８が縦型に配置されるようにレンズユニット１２を装着したときに使用する。各接点Ｖ１、Ｈ１、Ｖ２、Ｈ２は、７ピンの差し込み口を備える。このうち、接点Ｖ１に含まれるＰｉｎＶ１は、レンズユニット１２のマウント接点１２ａが接続されると０ｖを印加する。またＰｉｎＶ７はグランド端子に接続する。接点Ｈ１に含まれるＰｉｎＨ１は、レンズユニット１２のマウント接点１２ａが接続されると５ｖを印加する。またＰｉｎＨ７はグランド端子に接続する。
【０１０３】
レンズＣＰＵ１１８は、マウント接点１２ａから印加された電気信号に基づいて、カメラ本体１４のディスプレイ方向情報を取得する。そして、その縦横方向情報に基づいて第一実施形態及び第二実施形態と同様の処理を行う。
【０１０４】
本実施の形態によれば、カメラ本体１４のメモリにディスプレイ方向情報が記録されていない場合にも、カメラ本体１４のマウント接点１４ａからディスプレイ方向情報を取得することができる。
【図面の簡単な説明】
【０１０５】
【図１】デジタルカメラ１０の外観を示す正面斜視図
【図２】デジタルカメラ１０の外観を示す背面斜視図
【図３】デジタルカメラ１０の内部構成を示すブロック図
【図４】デジタルカメラ１０の外観を示す正面斜視図
【図５】撮影画像と表示画像との縦横関係を示す模式図
【図６】第一実施形態においてレンズユニットが行う処理の流れを示すフローチャート
【図７】第一実施形態においてカメラ本体が行う処理の流れを示すフローチャート
【図８】第二実施形態に係るデジタルカメラ１０の処理の流れを示すフローチャート
【図９】カメラ本体のマウント接点の拡大図
【図１０】（ａ）は縦撮り時のマウント接点の接続状態を示す模式図であり、（ｂ）は横取り時のマウント接点の接続状態を示す模式図である。
【符号の説明】
【０１０６】
１０…デジタルカメラ、１２…レンズユニット、１４…カメラ本体、１４ａ…本体側マウント接点、２０…レリーズボタン、２６…ＬＣＤ
【図１】
2007129316.tif 000003
【図２】
2007129316.tif 000004
【図３】
2007129316.tif 000005
【図４】
2007129316.tif 000006
【図５】
2007129316.tif 000007
【図６】
2007129316.tif 000008
【図７】
2007129316.tif 000009
【図８】
2007129316.tif 000010
【図９】
2007129316.tif 000011
【図１０】
2007129316.tif 000012